(57)【要約】【課題】切断刃３に横ぶれを与えることなく共振作用を利用した大きな振幅を切断刃に与えることで、切断性能を更に向上させる。共振作用を付与する構造を振動源と切断刃３の間に介在させながら装置のコンパクト化を可能にする。【解決手段】昇降動するカッターホルダ１に平刃状の切断刃３を取り付けた切断装置において、カッターホルダ１は、下端が自由駆動面２Ａとなるように切断刃３の切断方向に沿って振動する圧電素子２が設置されたフレーム部１０と、切断刃３を保持すると共に圧電素子２の自由駆動面２Ａが当接する当接面１１Ｃを有し、圧電素子２の側方に位置する共振作用部１２を介してフレーム部１０の下方に結合されたカッター保持部１１とを備える。【選択図】図１
2010046768.tif 000002
【特許請求の範囲】
【請求項１】
昇降動するカッターホルダに平刃状の切断刃を取り付けた切断装置において、
前記カッターホルダは、
前記切断刃の切断方向に沿って振動する圧電素子が設置されたフレーム部と、
前記切断刃を保持すると共に前記圧電素子の下端が当接する当接面を有し、前記圧電素子の側方に位置する共振作用部を介して前記フレーム部の下方に結合されたカッター保持部とを備え、
前記カッター保持部と前記共振作用部とからなる振動系が共振状態になるように前記圧電素子を振動させることを特徴とする切断装置。
【請求項２】
前記圧電素子一つに対して、その両側に前記共振作用部を配備したことを特徴とする請求項１記載の切断装置。
【請求項３】
前記共振作用部は、高剛性バネ構造を有することを特徴とする請求項１又は２記載の切断装置。
【請求項４】
前記高剛性バネ構造は、前記フレーム部側が基端となり片持ち状に水平に伸びる水平バネ部分と該水平バネ部分から垂直に屈曲して端部が前記カッター保持部に結合される垂直バネ部分とからなることを特徴とする請求項３記載の切断装置。
【請求項５】
前記圧電素子は、前記カッター保持部と前記共振作用部とからなる振動系が共振するように、振動周波数が制御可能であること特徴とする請求項１〜４の何れかに記載の切断装置。
【発明の詳細な説明】
【技術分野】
【０００１】
本発明は、昇降動するカッターホルダに平刃状の切断刃を取り付けた切断装置に関するものである。
【背景技術】
【０００２】
セラミックグリーンシート又はその積層体は、インダクタンスやコンデンサ，集積回路用パッケージ等の製造過程において、平刃状の切断刃を備えた切断装置によって格子状等に切断されてチップを形成する。セラミックグリーンシートのような被切断物を均質に切断するには、切断刃に切断方向に沿った周波数の高い振動を加えることが有効である。これを実現するために、切断方向に沿って振動源となる電歪／磁歪型振動子にホーンと呼ばれる振動増幅器を接続し、このホーンを介して電歪／磁歪振動子の振動を切断刃に伝える超音波振動方式の切断装置が知られている。
【０００３】
しかしながら、振動方向と切断方向を一致させて、振動源と切断刃の間にホーンを介在させた従来の超音波振動方式の切断装置では、振動源と切断刃との間隔が大きくなり、その間に介在するホーンの共振作用で横ぶれが生じやすく、これと切断刃の極薄化とが相俟って切断刃にうねりや波うち現象が生じ、均質な切断面を得ることができない問題がある。また、この従来例では、振動源とホーンと切断刃が切断方向に沿って連なって配備されることになるので、切断方向に沿って装置の長大化を招くことになり、設置スペースに制約があるところでは採用できない問題があった。
【０００４】
これに対して、前述した問題を改善する提案が下記特許文献１によってなされている。この改善提案では、振動源の振動を直接的に切断刃に伝える構造を採用して、切断刃の横ぶれやうねり、波うちを防ぎ、また装置のコンパクト化を実現している。
【０００５】
すなわち、下記特許文献１に記載のものは、昇降するカッターホルダに平刃状の切断刃を取り付けた切断装置において、前記カッターホルダに積層型圧電素子を内設し、その圧電素子の下面側を刃板取り付けブロックに接合させ、カッターホルダの下降動作と協働して圧電素子により切断刃に縦方向の微振動を付与しながら切断動作をさせるものである。
【特許文献１】特開２００７−３０１１６号公報
【発明の開示】
【発明が解決しようとする課題】
【０００６】
特許文献１に記載のものは、圧電素子の微振動を刃板取り付けブロックに直接伝えることができるので、切断刃の横ぶれなどは生じることが無く均質な切断面を形成することが可能である。これに対して更に、構造的に横ぶれなどを生じることなく、且つコンパクトに振動源と切断刃の間に共振構造を介在させることができれば、特許文献１の利点を生かしながら切断刃の振幅を大きくでき、切断性能を更に向上できることを見出し、本発明の完成に至った。
【０００７】
すなわち、本発明は、切断刃に超音波振動を与える切断装置において、切断刃に横ぶれを与えることなく共振作用を利用した大きな振幅を切断刃に与えることで、切断性能を更に向上させること、共振作用を付与する構造を振動源と切断刃の間に介在させながら装置のコンパクト化を可能にすること、等を目的とするものである。
【課題を解決するための手段】
【０００８】
このような目的を達成するために、本発明による切断装置は、以下の構成を少なくとも具備するものである。
【０００９】
昇降動するカッターホルダに平刃状の切断刃を取り付けた切断装置において、前記カッターホルダは、前記切断刃の切断方向に沿って振動する圧電素子が設置されたフレーム部と、前記切断刃を保持すると共に前記圧電素子の下端が当接する当接面を有し、前記圧電素子の側方に位置する共振作用部を介して前記フレーム部の下方に結合されたカッター保持部とを備え、前記カッター保持部と前記共振作用部とからなる振動系が共振状態になるように前記圧電素子を振動させることを特徴とする。
【００１０】
すなわち、本発明は、カッター保持部が圧電素子の下端が当接する当接面を有しているので、圧電素子の振動が直接カッター保持部に加えられる構造でありながら、カッター保持部は圧電素子の振動と一体には振動しない構造になっている。圧電素子を駆動させると、圧電素子の下端がカッター保持部の当接面に当接することで、圧電素子を振動源としてカッター保持部と共振作用部とからなる振動系に振動が加わる。カッター保持部と共振作用部は共振作用部のバネ性によって切断刃の切断方向に沿って振動することになるが、この振動系はカッター保持部の質量と共振作用部のバネ定数に基づく固有振動数を有している。圧電素子によって加えられる振動をこの固有振動数に合わせることでカッター保持部と共振作用部からなる振動系が共振状態になり、圧電素子の振動よりかなり大きな振幅でカッター保持部に保持された切断刃を切断方向に沿って振動させることができる。
【００１１】
この際、圧電素子は直接カッター保持部に振動を加えており、バネ性を有する共振作用部を圧電素子の側方に配置しているので、切断刃に横ぶれを与えることなく共振作用を利用した大きな振幅を切断刃に与え、切断性能を更に向上させることができる。また、振動方向に沿って装置が長大化することはなくコンパクト化を実現することができる。
【発明の効果】
【００１２】
本願発明は、切断刃に超音波振動を与える切断装置において、切断刃に横ぶれを与えることなく共振作用を利用した大きな振幅を切断刃に与え、切断性能を更に向上させることができる。また、振動源と切断刃の間に共振作用を付与する構造を介在させながら装置のコンパクト化を可能にすることができる。
【発明を実施するための最良の形態】
【００１３】
以下、本発明の実施形態を図面に基づいて説明する。図１は本発明の一実施形態に係る切断装置の主要部（カッターホルダ）を示す説明図である（同図（ａ）が正面図、同図（ｂ）がＸ−Ｘ断面図）。カッターホルダ１は、フレーム部１０とカッター保持部１１と共振作用部１２とを備えており、フレーム部１０には切断刃３の切断方向に沿って振動する圧電素子２が設置され、カッター保持部１１には平刃状の切断刃３が保持されている。
【００１４】
フレーム部１０には、下端が自由駆動面２Ａとなるように圧電素子２が設置されている。自由駆動面２Ａは圧電素子２自体の下面であってもよいし、圧電素子２の下端に接続された駆動部材２０の下面であってもよい。圧電素子２はフレーム部１０の収容部１０Ａに配置することができ、その下端が収容部１０Ａから解放された状態になっている。
【００１５】
カッター保持部１１は、基体部１１Ａと押さえ板１１Ｂとを備えており、基体部１１Ａに止められた切断刃３を押さえ板１１Ｂで押さえることで、刃先を下に向けた状態で切断刃３を保持している。切断刃３の保持構造の一例としては、基体部１１Ａの保持面から突出する突起部１１Ａ１を切断刃３の保持孔に挿入し、押さえ板１１Ｂの挿入孔に突起部１１Ａを挿入する。突起部１１Ａ１の先端部分にはねじ部が形成されており、そのねじ部にナット１１Ａ２を螺合させて、押さえ板１１Ｂを基体部１１Ａ側に押さえ付ける。
【００１６】
また、カッター保持部１１には、圧電素子２の自由駆動面２Ａが当接する当接面１１Ｃが形成されている。これによって、圧電素子２が駆動すると自由駆動面２Ａが当接面１１Ｃに当接して、圧電素子２による振動がカッター保持部１１に直接加えられる。また、圧電素子２の自由駆動面２Ａと当接面１１Ｃは接合状態にはないので、圧電素子２の振動とは異なる周波数でカッター保持部１１を振動させることができ、その際には圧電素子２の自由駆動面２Ａがカッター保持部１１の当接面１１を叩くように作用する。
【００１７】
共振作用部１２は、圧電素子２の側方に位置してフレーム部１０とカッター保持部１１とを結合している。すなわち、圧電素子２の側方に位置する共振作用部１２を介してフレーム部１０の下方にカッター保持部１１が結合されている。図示の例では、圧電素子２一つに対して、その両側に共振作用部１２を配備している。カッター保持部１１を安定に振動させるには、圧電素子２に対して左右対称に共振作用部１２を設けることが好ましい。図示では、圧電素子２は１個のみ配置しているが、これに限らず複数個の圧電素子２をフレーム部１０に設置しても良い。複数個の圧電素子２を設置する場合には、全ての圧電素子２が同調して振動することが必要になる。
【００１８】
共振作用部１２の構造例を説明すると、共振作用部１２は高剛性バネ構造を有している。共振作用部１２はフレーム部１０側に一体に形成され、そのバネ端がカッター保持部１１側に結合されている。共振作用部１２は、圧電素子２の振動付加によって、この共振作用部１２とカッター保持部１１を共振周波数で振動させるための部位である。このためには共振作用部１２は剛性の高いバネ構造であり、横ぶれを生じないことが必要になる。
【００１９】
共振作用部１２のバネ構造の一例を図１に基づいて説明する。図示の例では、フレーム部１０側が基端となり片持ち状に水平に伸びる水平バネ部分１２ａとこの水平バネ部分１２ａから垂直に屈曲して端部がカッター保持部１１に結合される垂直バネ部分１２ｂとからなる。このような横Ｌ字型のバネ構造を形成することで、横方向の振動成分を少なくして、効率的に切断刃を切断方向に沿って振動させることができる。なお、バネ構造はこの例に限らず、適正な振動が得られる構造であればどのような構造であっても良い。
【００２０】
このような本発明の実施形態に係るカッターホルダ１の機能を説明する。圧電素子２を駆動させると、圧電素子２の自由駆動面２Ａがカッター保持部１１の当接面１１Ｃに当接することで、圧電素子２を振動源としてカッター保持部１１と共振作用部１２とからなる振動系に振動が加わる。カッター保持部１１と共振作用部１２は共振作用部１２のバネ性によって切断刃３の切断方向に沿って振動することになるが、この振動系はカッター保持部１１の質量と共振作用部１２のバネ定数に基づく固有振動数を有している。圧電素子２によって加えられる振動をこの固有振動数に合わせることでカッター保持部１１と共振作用部１２からなる振動系が共振状態になり、圧電素子２の振動よりかなり大きな振幅でカッター保持部１１に保持された切断刃を切断方向に沿って振動させることができる。
【００２１】
この際、圧電素子２は直接カッター保持部１１に振動を加えており、バネ性を有する共振作用部１２を圧電素子２の側方に配置しているので、振動方向に沿って装置が長大化することはなく、また、振動源である圧電素子２の両側に左右対称に共振作用部１２を設けることで横ぶれ振動の発生を抑えることができる。これによって、切断面のうねりや波うち現象を回避し均質な切断面を得ることができると共に、振幅を多くして切断性能を更に高めることができ、同時に装置のコンパクト化を実現することができる。
【００２２】
圧電素子２には、図示省略の制御手段を接続して駆動制御を行い、振動周波数を可変制御しうることが好ましい。これによると、カッター保持部１１及び共振作用部１２からなる振動系が共振するように圧電素子２の振動周波数を徐々に高めていき、共振が得られたところで圧電素子２の駆動状態を固定することが可能になり、カッター保持部１１及び共振作用部１２の任意の形態に対応して振動系を共振状態にすることができる。
【００２３】
図２は、前述したカッターホルダ１を装備した切断装置の構成例を示した説明図である。図２において、図示省略した機台上に、回転テーブル１００を配設するとともにその両側に前後方向へ延びるＹ軸ガイドレール１０１，１０１を配置し、そのＹ軸ガイドレール１０１，１０１に脚部１０２ａ，１０２ａをスライド可能とした門型の支持機体１０２を搭載する。支持機体１０２には、前面に上下方向へ延びるＺ軸ガイドレール１０３，１０３を備え、そのＺ軸ガイドレール１０３，１０３に沿って背部をスライド可能としたカッターラム１０４を配設するとともに該カッターラム１０４に前述したカッターホルダ１を着脱可能に取り付けて切断装置Ａを構成する。
【００２４】
回転テーブル１００は、図示省略した駆動源により所定角度（９０度）を回転可能に設置され、上面には、表面にバキューム孔を開口した吸着テーブル１０５を一体的に取り付け、その吸着テーブル１０５上に切断するワークＷを載せて保持する作業テーブルである。上記支持機体１０２には、カッターラム１０４の中央部上方に駆動源であるサーボモータＭ１を設置し、そのサーボモータＭ１により駆動される昇降軸１０６をカッターラム１０４に連結してカッターラム１０４を昇降動可能とし、また、支持機体１０２の背面下部には駆動源であるサーボモータＭ２を機台上に設置し、そのサーボモータＭ２により駆動されるＹ駆動軸１０７をカッターラム１０４に連結してカッターラム１０４をＹ軸方向（前後方向）へ往復動可能としている。カッターホルダ１は、下半部に平刃状の切断刃３を着脱可能に取り付け、その切断刃３が回転テーブル１００の前記吸着テーブル１０５の直上に位置するよう配置される。
【００２５】
したがって、カッターホルダ１に取り付けた切断刃３は、サーボモータＭ１により昇降動するカッターラム１０４に追従して吸着テーブル１０５上を昇降動し、その下降時にワークＷを切断するとともに一回の切断動作ごとにサーボモータＭ２によりＹ軸方向へ所定寸法だけ移動しながら切断動作を繰り返し、回転テーブル１００が９０度回転した後も同様の切断動作をしてワークＷを格子状に切断する。
【００２６】
なお、上記切断装置Ａにおいて、駆動源としてサーボモータＭ１，Ｍ２を使用した場合を説明したが、それに限定されるものではなく、リニアモータ、エアーシリンダ、油圧サーボモータなど他の駆動方式を採用することも任意であり、また、支持機体１０２の具体的構造や移動方式、特に、支持機体１０２をＹ軸方向へ移動させることに代えて、回転テーブル１００をＹ軸方向へ移動させてもよいことは勿論である。
【００２７】
而して、上記切断装置Ａは、サーボモータＭ１によりカッターラム１０４と共にカッターホルダ１が吸着テーブル１０５上を下降し、切断刃３がワークＷに接触するタイミングで、圧電素子２の作動により切断刃３が縦方向へ数十μｍの振幅で高速振動するので、そのカッターホルダ１の下降動作と切断刃３の振動との協働により切断動作がなされる。その切断動作においては、例えば、数百Hzから１００００Hz以上の不可聴領域の振動まで発生させることができ、前述した共振が得られる所望の振動数によって、切断性能の高い大きな振幅の振動を得ることができる。
【００２８】
詳しくは、カッターホルダ１がサーボモータＭ１に設定された定量または可変な送り量で下降しながら振動が付与された切断刃３でワークＷを切断し、カッターホルダ１が上昇したところで、サーボモータＭ２によりカッターラム１０４をＹ軸方向へ定寸送りした後に再びカッターホルダ１が下降しながら前記切断動作をし、その切断動作をＹ軸方向の終端まで繰り返し、その後に、回転テーブル１００を９０度回転させた状態で再度前記と同様の切断動作を反復することによってワークＷを格子状に切断して微小な（例えば、縦横寸法０．６ｍｍ×０．３ｍｍ）チップを作製する。
【００２９】
上記切断装置Ａによれば、上記切断刃３に大きな振幅の振動を付与することによる摩擦熱で発熱し、ワークＷの組成粒子やバインダーが移動しやすくなって脆性の高い素材の切断抵抗を軽減させクラックの発生を皆無にすることができる。それに加えて、圧電素子２をカッターホルダ１に内設し、ホーンを設けることなく切断刃３を直接に駆動する方式であるので、切断刃３のうねりや波うち現象を防止することができるとともに、装置のコンパクト化を可能にすることができる。
【図面の簡単な説明】
【００３０】
【図１】本発明の一実施形態に係る切断装置の主要部（カッターホルダ）を示す説明図である（同図（ａ）が正面図、同図（ｂ）がＸ−Ｘ断面図）。
【図２】本発明の実施形態に係る切断装置の構成例を示した説明図である。
【符号の説明】
【００３１】
１：カッターホルダ，
１０：フレーム部，１１：カッター保持部，１２：共振作用部，
１１Ｃ：当接面，
２：圧電素子，２Ａ：自由駆動面，
３：切断刃，
Ａ：切断装置
【図１】
2010046768.tif 000003
【図２】
2010046768.tif 000004